(57)【要約】【課題】セードの着脱が容易に行え、セードが不用意に脱落したり変形しにくく、天井やセードの表面への光むらや影が出にくい照明器具を提供する。  【解決手段】器具本体１が引っ掛け孔３ａを形成した吊り部材３を両側に有するとともにランプ６を装着するランプソケット７を有する。セード２は引っ掛け孔３ａに引っ掛ける引っ掛け部材４を両側に有して器具本体１の前面に配置されている。引っ掛け部材４は、セード２の両側から内方に延出して引っ掛け孔３ａにスライド自在に引っ掛かる引っ掛け片４ａと、引っ掛け片４ａの先端より器具本体１から離れる方向に延出した外れ止め片４ｂとを有する。【選択図】        図１
2006172852.tif 000002
【特許請求の範囲】
【請求項１】
引っ掛け孔を形成した吊り部材を両側に有するとともにランプを装着するランプソケットを有する器具本体と、前記引っ掛け孔に引っ掛ける引っ掛け部材を両側に有して前記器具本体の前面に配置された配光制御部材とを備え、前記引っ掛け部材は、前記配光制御部材の両側から内方に延出して前記引っ掛け孔にスライド自在に引っ掛かる引っ掛け片と、前記引っ掛け片の先端より前記器具本体から離れる方向に延出した外れ止め片とを有し、片方の前記引っ掛け部材の引っ掛け片を前記引っ掛け孔にスライドして他の片方の前記引っ掛け部材の引っ掛け片を前記引っ掛け孔に対して着脱できるように、一対の前記吊り部材の相互間隔、一対の前記引っ掛け部材の相互間隔および前記引っ掛け片の長さを設定した照明器具。
【請求項２】
前記配光制御部材が前記器具本体の両側の前記引っ掛け孔を結ぶ線を軸として回動しないように、前記引っ掛け孔の幅と前記引っ掛け片の幅とを設定した請求項１記載の照明器具。
【請求項３】
前記配光制御部材が水平姿勢で前記引っ掛け部材に引っ掛かった状態で前記外れ止め片は水平に対して約４０度から９０度の範囲の下方に延出している請求項１記載の照明器具。
【請求項４】
前記吊り部材は前記器具本体の両側から前記器具本体の外側に垂れ下がるように形成されている請求項１記載の照明器具。  
【請求項５】
前記配光制御部材はセードであり、その平面形状は前記器具本体の平面形状よりも大きい請求項１記載の照明器具。
【請求項６】
前記引っ掛け片は基端から先端にかけて上方向に傾斜している請求項１記載の照明器具。
【発明の詳細な説明】
【技術分野】
【０００１】
本発明は、主に天井面に設置される照明器具に関するものである。
【背景技術】
【０００２】
第１の従来例（例えば特許文献１参照）は、図１２に示すようにセードの吊り下げ式の照明器具を示す。この照明器具は、天井下面に配置される器具本体５１と、器具本体５１の下面側に固着されたリング状の吊り部材５２と、その下面側に配置される配光制御部材であるセード５３と、セード５３の周縁に固着されて先端の引っ掛け部５４ａが内方に延出して折り曲げられた引っ掛け部材５４とを備えている。
【０００３】
リング状の吊り部材５２は器具本体５１の下側に線材等により形成され、器具本体５１との間に隙間を形成し、かつ器具本体５１の下面と略平行をなすように固着されている。
【０００４】
引っ掛け部材５４は板金の両端が折り曲げられて形成され、一端がセード５３の内面に当接してねじ等で固着されるとともに、他端が吊り部材５２に引っ掛けられる引っ掛け片５４ａとなっている。
【０００５】
なお、引っ掛け部材５４は、通常１つのセード５３に対して略１２０度ピッチで３箇所に設けられ、セード５３の表面側には、セード５３の内面に当接して固着されている一端のねじ等を隠して見栄えをよくするために飾り５５が設けられている。
【０００６】
第２の従来例を図１３に示す。このセード吊り下げ式照明器具は、天井下面に配置される器具本体６１と、先端に係止部６２ａを備えるとともに、器具本体６１の外側方向に延出して斜め下方に向けて器具本体６１に固着された複数の吊り部材６２と、器具本体６１の下面側に配置されるセード６３と、吊り部材６２の係止部６２ａに引っ掛けて係止される引っ掛け片６４ａを備えた一対の引っ掛け部材６４を有して形成されている。
【０００７】
吊り部材６２はその先端の係止部６２ａが略Ｕ字状に曲げられている。
【０００８】
また、吊り部材６２の係止部６２ａに引っ掛けて係止される引っ掛け片６４ａを備えた一対の引っ掛け部材６４は、その引っ掛け片６４ａの両端に側部片６４ｂを曲げて略コ字状とし、両側部片６４ｂの端部に同軸上に位置して互いに外向きに曲げられた軸部片６４ｃをそれぞれ形成している。この引っ掛け部材６４は、一対の引っ掛け部材６４の引っ掛け片６４ａが略平行であって２本の軸部片６４ｃを中心として回動自在にセード６３に押さえ部材６６で取り付けられている。６５は飾りである。
【特許文献１】特開平8-171807号公報
【発明の開示】
【発明が解決しようとする課題】
【０００９】
一般に、器具本体にセードを吊り下げて取り付ける照明器具では、セードが不用意に外れて脱落したり変形せず、天井面とセード間のすき間をできるだけ小さくして、天井との密着感を出し、またセードの着脱操作が容易で、天井やセード表面への光むらや影を出さないことが望まれる。
【００１０】
しかし、上記のように構成された第１の従来例においては、引っ掛け部材５４は板金で構成され、セード５３に固着されているため、外力に対して変形しやすい。強度を上げるために引っ掛け部材５４の幅を広くすると、天井やセード表面へ引っ掛け部材５４の陰影を生じる。また、引っ掛け部材５４が最低３箇所あるため、セード５３の着脱操作性が悪い。
【００１１】
第２の従来例においては、セード６３を取り付ける手順としては、まず器具本体６１の片側２箇所の吊り部材６２に、セード６３の片側の引っ掛け部材６４を引っ掛け、次にもう一方についても同様の動作を行う。このとき、吊り部材６２が片側２箇所にそれぞれが離れて配設され、また、セード６３は器具本体６１より大きいため、天井とセード６３のすき間が小さい場合、セード６３を取り付けようとするとき、吊り部材６２は目視できず、位置がわからないので、引っ掛け部材６４を吊り部材６２に引っ掛ける際にねらいがつけ難く、セード６３を取りつけにくい。
【００１２】
本発明は、上記問題点に鑑みてなされたもので、その目的とすることろは、セードの着脱が容易に行え、セードが不用意に脱落しにくい照明器具を提供することである。
【課題を解決するための手段】
【００１３】
本発明の照明器具は、器具本体が引っ掛け孔を形成した吊り部材を両側に有するとともにランプを装着するランプソケットを有する。配光制御部材は前記引っ掛け孔に引っ掛ける引っ掛け部材を両側に有して前記器具本体の前面に配置されている。前記引っ掛け部材は、前記配光制御部材の両側から内方に延出して前記引っ掛け孔にスライド自在に引っ掛かる引っ掛け片と、前記引っ掛け片の先端より前記器具本体から離れる方向に延出した外れ止め片とを有する。そして、片方の前記引っ掛け部材の引っ掛け片を前記引っ掛け孔にスライドして他の片方の前記引っ掛け部材の引っ掛け片を前記引っ掛け孔に対して着脱できるように、一対の前記吊り部材の相互間隔、一対の前記引っ掛け部材の相互間隔および前記引っ掛け片の長さを設定している。
【００１４】
上記構成において、前記配光制御部材が前記器具本体の両側の前記引っ掛け孔を結ぶ線を軸として回動しないように、前記引っ掛け孔の幅と前記引っ掛け片の幅とを設定している。
【００１５】
上記構成において、前記配光制御部材が水平姿勢で前記引っ掛け部材に引っ掛かった状態で前記外れ止め片は水平に対して約４０度から９０度の範囲の下方に延出している。
【００１６】
上記構成において、前記吊り部材は前記器具本体の両側から前記器具本体の外側に垂れ下がるように形成されている。  
【００１７】
上記構成において、前記配光制御部材はセードであり、その平面形状は前記器具本体の平面形状よりも大きい。
【００１８】
上記構成において、前記引っ掛け片は基端から先端にかけて上方向に傾斜している。
【発明の効果】
【００１９】
本発明の照明器具によれば、片方の前記引っ掛け部材の引っ掛け片を前記引っ掛け孔にスライドして他の片方の前記引っ掛け部材の引っ掛け片を前記引っ掛け孔に対して着脱することができるので、配光制御部材の着脱が容易に行え、配光制御部材が不用意に脱落しにくい。
【００２０】
引っ掛け孔の幅と前記引っ掛け片の幅とを設定することにより、配光制御部材の回動を簡単に防止することができる。
【００２１】
外れ止め片を水平に対して約４０度から９０度の範囲で下方に向けたため、たとえばセードを取付けた状態で水平方向の力が加わってもセードが外れにくく、セードに影が投影されにくい。
【００２２】
前記吊り部材は前記器具本体の両側から前記器具本体の外側に垂れ下がるように形成されているため、引っ掛け部材の掛かりが良好になる。
【００２３】
器具本体よりもセードのほうが大きいため、吊り部材及び引っ掛け部材が下から見えにくくなり意匠性に優れる。
【００２４】
引っ掛け片を基端から先端にかけて上方向に傾斜したため、例えばセードに引っ掛け部材の影が投影されにくい。
【発明を実施するための最良の形態】
【００２５】
本発明の第１の実施の形態の照明器具を図１から図９により説明する。器具本体１は天井直付け型であり、天井１５の引っ掛けシーリング１１に取付けられる。器具本体１には点灯装置、豆球ソケットおよびランプソケット７などが設けられ、豆球ソケットに豆球１２が装着され、ランプソケット７に環形ランプ６が装着されている。
【００２６】
また器具本体１は両側に吊り部材３を有し、吊り部材３は線材を略コ字形に折曲して、係止片となる中間片３ｂとその両側に連続する側片とを形成し、両側片は図１に示すように平面的にみて先端が相接近するようにその中間位置が折曲されるとともに正面からみて図２に示すように略逆Ｌ字形に折曲されている。そして一対の吊り部材３の両側片の両端が器具本体１の両側にねじ等の取付具１３により取付けられて、中間片３ｂが器具本体１の外側に垂れ下がるように形成され、これにより中間片３ｂと両側片との間に引っ掛け孔３ａを形成している。中間片３ｂは後述のセード２が器具本体１に取付けられた状態でセード２の上面に位置する。
【００２７】
配光制御部材、例えばセード２は、その平面形状が器具本体１のそれよりも大きく、器具本体１の前面に配置されて環形ランプ６などを被覆している。セード２の両側に引っ掛け部材４が設けられている。引っ掛け部材４は吊り部材３の引っ掛け孔３ａに引っ掛けるもので、引っ掛け部材４はセード２の両側から内方に延出して引っ掛け孔３ａにスライド自在に引っ掛かる引っ掛け片４ａと、引っ掛け片４ａの先端より器具本体１から離れる方向に延出して立ち下がる外れ止め片４ｂとを形成している。この引っ掛け部材４は線材により略コ字形に折曲されてそのコ字の両側の基端寄りを引っ掛け片４ａとし、両側の先端部および中間をコ字形の外れ止め片４ｂとし、さらに引っ掛け片４ａの両端より互いに反対向きに支持片４ｃを延出し、支持片４ｃの先端がセード２のコーナ部でねじ等の固定具１４などにより固定され、支持片４ｃが長手方向の軸線の回りに回転しないようにしている。外れ止め片４ｂは図３に示すように正面からみて水平姿勢の引っ掛け片４ａに対して角度θ下向きに折曲されている。角度θの範囲は約４０度から９０度が好ましい。さらに引っ掛け孔３ａの幅と引っ掛け片４ａの幅とは、セード２が器具本体１の両側の引っ掛け孔３ａを結ぶ線を軸として容易に回動しない程度の長さに設定されている。５はセード２のコーナに設けられた飾りである。
【００２８】
そして、片方の引っ掛け部材４の引っ掛け片４ａを引っ掛け孔３ａにスライドして他の片方の引っ掛け部材４の引っ掛け片４ａを引っ掛け孔３ａに対して着脱できるように、一対の吊り部材３の相互間隔、一対の引っ掛け部材４および引っ掛け片４ａの長さを設定している。
【００２９】
図４から図８はセード２の取付け手順を示している。セード２の引っ掛け部材４の一方を図４の矢印のように吊り部材３の引っ掛け孔３ａに、器具本体１の外側から貫入して引っ掛ける。セード２を図５および図６の矢印のように略水平まで持ち上げて、上記で引っ掛けた吊り部材３から他方の吊り部材３の方向にセード２をスライド移動させる。図７および図８に示すように、他方の引っ掛け部材４を他方の吊り部材３の引っ掛け孔３ａに器具本体１の外側から貫入して引っ掛ける。セード２の上記取り付けの逆の操作を行えば、セード２を取り外すことができる。
【００３０】
第１の実施の形態によれば、引っ掛け孔３ａは２箇所であり、第１の従来例が３箇所であるのと比べセード２の着脱が容易である。また引っ掛け孔３ａが大きいため、第２の従来例のように複数の略Ｕ字状に曲げられた係止部６２ａに引っ掛け部片６４ａを引っ掛ける方式に比べセード２の着脱が容易である。吊り部材３は鋼線で形成されており、天井１５やセード２の表面への光むらや吊り部材３の影が出にくい。
【００３１】
引っ掛け部材４は、セード２の着脱の際に引っ掛け部材４の先端が、環形ランプ６等の器具本体１の内容物に接触しない長さに形成され、引っ掛け部材４の先端に設けられた係止片である中間片４ｂにより、セード２を取り付け状態で水平方向の外力が加わったときにも、セード２が外れ難くしている。
【００３２】
引っ掛け孔３ａと引っ掛け片４ａに幅を持たせることで、セード２を取付けたときに回動しないように形成しており、器具本体１側の各吊り部材３に対して、引っ掛け部材４がそれぞれ１個ずつ対向するため、第２の従来例に比べてセード２の着脱性がよい。第２の従来例では、セード２が回動しないよう、器具本体１側に複数の吊り部材６２があるため、引っ掛け片６４を吊り部材６２に引っ掛ける際にねらいがつけ難く、セード２を取りつけ難い。
【００３３】
吊り部材３の係止片である中間片３ｂは、器具本体1を取り付けたときに天井１５と略平行となるように形成されている。また、セード２の引っ掛け部材4の対向する引っ掛け片４ａも略平行であるため、セード２を取り付けた際にも、セード２が天井１５と略平行を保持できる。
【００３４】
引っ掛け部材４が、セード２を取り付けた状態において、これを側面視したときにこの引っ掛け片４ａの先端に設けられた外れ止め片４ｂの引っ掛け片４ａに対する角度θが約４０度以上９０度以下になるように形成されている。このため、セード２を取り付け状態でセード２に水平方向の外力が加わったときにも、外れ止め片４ｂによりセード２が外れ難くしている。外れ難さだけを重視するならば、９０度とすることが望ましい。一方、角度θを約４０度とすると、外れ止め片４ｂがセード２から離れるため、セード２の表面へ影が出にくい。
【００３５】
また、震動等の外力によりセード２が不用意に外れることはないが、セード２を取り外す際には、セード２を斜め上に持ち上げながらセード２を引っ掛け部材４の配設されている方向に引けば、外れ止め片４ｂがガイドとなり容易にセード２を外すことができる。
【００３６】
さらに平面視したときに、器具本体１よりもセード２のほうが大きいため、セード２を取り付けた状態では、吊り部材３および引っ掛け部材４ともにセード２に隠れる。このため、下方から見たときに、吊り部材３および引っ掛け部材４が見えなくなり意匠性に優れる。このとき、吊り部材３の貫通孔３ａが大きいため、セード２の着脱性は損なわれることはない。
【００３７】
吊り部材２は側面視したときに基端から先端に向けて、器具本体１の外側に垂れ下がるように形成されている。このため、セード２の着脱の際など、吊り部材３の一方のみにセード２を引っ掛けた状態となったときに、引っ掛け部材４の支持片４ｃが吊り部材３と接触する点を支点として引っ掛け片４が係止片を押して、吊り部材３をこじって変形することを軽減する効果がある。とくに吊り部材３の曲げ角度θ１を図９に示すように９０度以上とすると、図１０に示すように吊り部材３の曲げ角度θ１を約９０度とした場合と比較して、セード２が垂直姿勢になったときにセード２の傾きにより図１０の矢印の方向に力が働かないので吊り部材３が変形し難い。
【００３８】
この発明の第２の実施の形態を図１１により説明する。すなわち、第１の実施の形態において、引っ掛け部材４の引っ掛け片４ａを、これを側面視したときに、基端から先端にかけて上方向に傾斜させている。
【００３９】
第１の実施の形態のように、引っ掛け部材４の引っ掛け片４ａが水平の場合、小型の照明器具においては、引っ掛け部材４の外れ止め片４ｂの先端とセード２との距離が小さくなるため、セード２に引っ掛け部材４の影が投影されやすい。
【００４０】
第２の実施の形態では上記の構成によって、引っ掛け部材４の外れ止め片４ｂの先端とセード２との距離をとることができ、セード２に引っ掛け部材４の影が投影されにくくなる。
【００４１】
なお、配光制御部材としてはセードのほか、ルーバ、カバー等がある。
【図面の簡単な説明】
【００４２】
【図１】この発明の第１の実施の形態の照明器具のセードの半分を除いた状態の下から見上げた図である。
【図２】半断面側面図である。
【図３】その部分拡大図である。
【図４】セードを取付ける直前の状態を示す断面図である。
【図５】片方の引っ掛け部材を吊り部材に引っ掛けた状態の断面図である。
【図６】セードを水平にスライドした状態の説明図である。
【図７】他方の引っ掛け部材を吊り部材に引っ掛ける直前の断面図である。
【図８】セードの取付け完了した状態の断面図である。
【図９】セードを片方の吊り部材に引っ掛けてぶら下げた状態の説明図である。
【図１０】吊り部材の曲げ角度を約９０度としたときの、セードを片方の吊り部材に引っ掛けてぶら下げた状態の説明図である。
【図１１】第２の実施の形態の部分断面図である。
【図１２】第１の従来例を示し、（ａ）は断面図、（ｂ）は一部破断下面図である。
【図１３】第２の従来例を示し、（ａ）は断面図、（ｂ）は部分斜視図である。
【符号の説明】
【００４３】
１    器具本体    
２    セード
３    吊り部材
３ａ  引っ掛け孔
４    引っ掛け部材
４ａ    引っ掛け片
４ｂ    外れ止め片
６    ランプ
７    ランプソケット      
【図１】
2006172852.tif 000003
【図２】
2006172852.tif 000004
【図３】
2006172852.tif 000005
【図４】
2006172852.tif 000006
【図５】
2006172852.tif 000007
【図６】
2006172852.tif 000008
【図７】
2006172852.tif 000009
【図８】
2006172852.tif 000010
【図９】
2006172852.tif 000011
【図１０】
2006172852.tif 000012
【図１１】
2006172852.tif 000013
【図１２】
2006172852.tif 000014
【図１３】
2006172852.tif 000015